(57)【要約】【課題】レリーズボタンの操作によって生じる手ぶれの生じる方向が予め予測できることに鑑み、レリーズボタンの押し下げ操作から露光開始までの時間を極力短くでき、かつ、手ぶれ補正範囲を有効に活用できる手ぶれ補正機能付き撮像装置を提供する。【解決手段】撮影光学系を通して得られる撮影光束を被写体像P’として受像する撮像素子１０１と、手ぶれにより発生する手ぶれ量を検出する手ぶれ検出センサと、手ぶれ検出センサにより検出された手ぶれ量に基づき被写体像P’の移動量を算出する算出手段と、算出手段の算出結果に基づき撮像素子１０１を被写体像P’の移動方向に追従させる手ぶれ補正機構とを備え、手ぶれ補正開始時点において撮影光軸上を通る撮影光束が撮像素子１０１に到達する点として定義される手ぶれ補正開始位置Q１がレリーズボタンの押し下げにより発生する被写体像の移動方向Q４と逆方向の位置となるように撮像素子１０１があらかじめセットされている。【選択図】図９
2008017077.tif 000002
【特許請求の範囲】
【請求項１】
撮影光学系を通して得られる撮影光束を被写体像として受像する撮像素子と、手ぶれにより発生する手ぶれ量を検出する手ぶれ検出センサと、該手ぶれ検出センサにより検出された手ぶれ量に基づき前記被写体像の移動量を算出する算出手段と、該算出手段の算出結果に基づき前記撮像素子を前記被写体像の移動方向に追従させる手ぶれ補正機構とを備え、手ぶれ補正開始時点において前記撮影光軸上を通る撮影光束が前記撮像素子に到達する点として定義される手ぶれ補正開始位置がレリーズボタンの押し下げにより発生する被写体像の移動方向と逆方向の位置となるように前記撮像素子があらかじめセットされていることを特徴とする手ぶれ補正機能付き撮像装置。
【請求項２】
撮影光学系を通して得られる撮影光束を被写体像として受像する撮像素子と、手ぶれにより発生する手ぶれ量を検出する手ぶれ検出センサと、該手ぶれ検出センサにより検出された手ぶれ量に基づき前記被写体像の移動量を算出する算出手段と、該算出手段の算出結果に基づき前記撮像素子を前記被写体像の移動方向に追従させる手ぶれ補正機構と、手ぶれ補正開始時点において前記撮影光軸上を通る撮影光束が前記撮像素子に到達する点として定義される手ぶれ補正開始位置が前記レリーズボタンの押し下げにより発生する被写体像の移動方向と逆方向の位置となるように前記撮像素子を設定する設定手段とを備えていることを特徴とする手ぶれ補正機能付き撮像装置。
【請求項３】
前記撮像素子の中心位置が前記レリーズボタンの押し下げ操作時に発生する手ぶれ量の中間位置になるように前記撮像素子が設定されることを特徴とする請求項２に記載の手ぶれ補正機能付き撮像装置。
【請求項４】
前記設定手段は前記レリーズボタンの第１段の押し下げから第２段の押し下げまでに要した時間によって前記手ぶれ補正開始位置が変更されるように前記撮像素子を制御することを特徴とする請求項２に記載の手ぶれ補正機能付き撮像装置。
【請求項５】
前記設定手段は前記レリーズボタンの第２段目の押し下げから露光開始までの間の待ち時間に基づき前記手ぶれ補正開始位置が変更されるように前記撮像素子を制御することを特徴とする請求項２に記載の手ぶれ補正機能付き撮像装置。
【発明の詳細な説明】
【技術分野】
【０００１】
本発明は、手ぶれ補正機能付き撮像装置の改良に関する。
【背景技術】
【０００２】
従来から、手ぶれ補正機能付き撮像装置としてのデジタルカメラには、レリーズボタンの第１段目の押し下げにより測光・測距等を行い、第２段目の押し下げによる露光の開始の際に、撮影時のシャッタースピードによりレリーズボタンの第２段目の押し下げから露光開始までの時間を変更し、レリーズボタンの押し下げによる初期ぶれが収れんした時点で露光を開始するものが知られている（例えば、特許文献１参照。）。
【特許文献１】特開平１０−２３２４１８号公報
【発明の開示】
【発明が解決しようとする課題】
【０００３】
この種の手ぶれ補正機能付き撮像装置では、レリーズボタンの押し下げ操作により発生する手ぶれがもっとも大きいために、レリーズ操作直後の手ぶれ補正量を大きく設定する必要がある一方、レリーズボタンの押し下げタイミングが撮影タイミングでもあるので、レリーズボタンの押し下げ操作から露光開始までの時間をできる限り短くするのが望ましい。
【０００４】
ところが、その従来の手ぶれ補正機能付き撮像装置では、レリーズボタンの押し下げ操作による手ぶれがほぼ収れんした時点で露光を開始するので、本質的にレリーズボタンの押し下げ操作から露光開始までの時間をできる限り短くし難いという不都合がある。
【０００５】
その一方、手ぶれ補正の範囲はあらかじめ光学設計的に定まっているので、手ぶれ補正範囲を有効に活用できるようにするのが望ましい。
【０００６】
本発明は、レリーズボタンの操作によって生じる手ぶれの生じる方向が予め予測できることに鑑み、レリーズボタンの押し下げ操作から露光開始までの時間を極力短くでき、かつ、手ぶれ補正範囲を有効に活用できる手ぶれ補正機能付き撮像装置を提供することを目的とする。
【課題を解決するための手段】
【０００７】
請求項１に記載の手ぶれ補正機能付き撮像装置は、撮影光学系を通して得られる撮影光束を被写体像として受像する撮像素子と、手ぶれにより発生する手ぶれ量を検出する手ぶれ検出センサと、該手ぶれ検出センサにより検出された手ぶれ量に基づき前記被写体像の移動量を算出する算出手段と、該算出手段の算出結果に基づき前記撮像素子を前記被写体像の移動方向に追従させる手ぶれ補正機構とを備え、手ぶれ補正開始時点において前記撮影光軸上を通る撮影光束が前記撮像素子に到達する点として定義される手ぶれ補正開始位置がレリーズボタンの押し下げにより発生する被写体像の移動方向と逆方向の位置となるように前記撮像素子があらかじめセットされていることを特徴とする。
【０００８】
請求項２に記載の手ぶれ補正機能付き撮像装置は、撮影光学系を通して得られる撮影光束を被写体像として受像する撮像素子と、手ぶれにより発生する手ぶれ量を検出する手ぶれ検出センサと、該手ぶれ検出センサにより検出された手ぶれ量に基づき前記被写体像の移動量を算出する算出手段と、該算出手段の算出結果に基づき前記撮像素子を前記被写体像の移動方向に追従させる手ぶれ補正機構と、手ぶれ補正開始時点において前記撮影光軸上を通る撮影光束が前記撮像素子に到達する点として定義される手ぶれ補正開始位置が前記レリーズボタンの押し下げにより発生する被写体像の移動方向と逆方向の位置となるように前記撮像素子を設定する設定手段とを備えていることを特徴とする。
【０００９】
請求項３に記載の手ぶれ補正機能付き撮像装置は、前記撮像素子の中心位置が前記レリーズボタンの押し下げ操作時に発生する手ぶれ量の中間位置になるように前記撮像素子が設定されることを特徴とする。
【００１０】
請求項４に記載の手ぶれ補正機能付き撮像装置は、前記設定手段は前記レリーズボタンの第１段の押し下げから第２段の押し下げまでに要した時間によって前記手ぶれ補正開始位置が変更されるように前記撮像素子を制御することを特徴とする。
【００１１】
請求項５に記載の手ぶれ補正機能付き撮像装置は、前記設定手段は前記レリーズボタンの第２段目の押し下げから露光開始までの間の待ち時間に基づき前記手ぶれ補正開始位置が変更されるように前記撮像素子を制御することを特徴とする。
【発明の効果】
【００１２】
請求項１に記載の発明によれば、手ぶれ補正開始時点において撮影光軸上を通る撮影光束が前記撮像素子に到達する点として定義される手ぶれ補正開始位置が、レリーズボタンの押し下げにより発生する被写体像の移動方向と逆方向の位置となるように撮像素子があらかじめ設定されているので、レリーズボタンの押し下げ操作から露光開始までの時間を極力短くでき、かつ、手ぶれ補正範囲を有効に活用できる。
【００１３】
請求項２、請求項３に記載の発明によれば、手ぶれ補正開始時点において撮影光軸上を通る撮影光束が撮像素子に到達する点として定義される手ぶれ補正開始位置がレリーズボタンの押し下げにより発生する被写体像の移動方向と逆方向の位置となるように撮像素子を設定する設定手段を備えているので、レリーズボタンの押し下げ操作から露光開始までの時間を極力短くでき、かつ、手ぶれ補正範囲を有効に活用できる。
【００１４】
また、手ぶれ補正開始位置がレリーズボタンの押し下げにより発生する被写体像の移動方向と逆方向の位置であるので、手ぶれ補正範囲を従来と同等に設定するとしたときは、撮影光学系のレンズの有効径を小さくできる。
【００１５】
請求項４に記載の発明によれば、手ぶれ量の大きさに応じて手ぶれ補正開始位置を変更できるという効果を奏する。
【００１６】
請求項５に記載の発明によれば、露光開始までの待ち時間に基づき手ぶれ補正開始位置を変更するので、無用な手ぶれ補正開始位置への撮像素子の移動を回避することができる。
【発明を実施するための最良の形態】
【００１７】
以下に、本発明に係わる撮像装置としてのデジタルカメラの実施の形態を図面を参照しつつ説明する。
【実施例】
【００１８】
（デジタルカメラの一般的構成）
図１は本発明に係わる撮像装置としてのデジタルカメラの一例を示す正面図、図２はその背面図、図３はその上面図、図４はそのデジタルカメラの内部のシステム構成の概要を示すブロック回路図である。
【００１９】
図１において、カメラ本体の上面には、レリーズボタンＳＷ１、モードダイアルＳＷ２、図３に示すサブ液晶ディスプレイ１が配設されている。
【００２０】
カメラ本体の正面には、撮影レンズを含む鏡胴ユニット７、光学ファインダ４、ストロボ発光部３、測距ユニット５、リモートコントロール受光部６が設けられている。
【００２１】
カメラの背面には、図２に示すように電源スイッチＳＷ１３、ＬＣＤモニタ１０、ＡＦＬＥＤ８、ストロボＬＥＤ９、光学ファインダ４、広角方向ズームスイッチＳＷ３、望遠方向ズームスイッチＳＷ４、セルフタイマの設定・削除スイッチＳＷ５、メニュースイッチＳＷ６、上移動・ストロボセットスイッチＳＷ７、右移動スイッチＳＷ８、ディスプレイスイッチＳＷ９、下移動・マクロスイッチＳＷ１０、左移動・画像確認スイッチＳＷ１１、ＯＫスイッチＳＷ１２、手ぶれ補正スイッチＳＷ１４が設けられている。カメラ本体の側面にはメモリカード／電池装填室の蓋２が設けられている。
【００２２】
これらの各部材の機能及び作用は公知であるので、その説明は省略することにし、次にカメラの内部のシステム構成を説明する。
【００２３】
その図４において、１０４はデジタルスチルカメラプロセッサ（プロセッサともいう）である。
【００２４】
プロセッサ１０４は、Ａ／Ｄ変換器１０４１１、ＣＣＤ１信号処理ブロック１０４１、ＣＣＤ２信号処理ブロック１０４２、ＣＰＵブロック１０４３、ローカルＳＲＡＭ１０４４、ＵＳＢブロック１０４５、シリアルブロック１０４６、ＪＰＥＧ・ＣＯＤＥＣブロック（ＪＰＥＧ圧縮・伸長を行うブロック）１０４７、ＲＥＳＩＺＥブロック（画像データのサイズを補間処理により拡大・縮小するブロック）１０４８、ＴＶ信号表示ブロック（画像データを液晶モニタ・ＴＶなどの外部表示機器に表示させるためのビデオ信号に変換するブロック）１０４９、メモリカードコントローラブロック（撮影画像データを記録するメモリカードの制御を行うブロック）１０４１０を有している。これらの各ブロックは相互にバスラインで接続されている。
【００２５】
プロセッサ１０４の外部にはＲＡＷ−ＲＧＢ画像データ（ホワイトバランス設定、γ設定が行われた状態の画像データ）、ＹＵＶ画像データ（輝度データ、色差データ変換が行われた状態の画像データ）、ＪＰＥＧ画像データ（ＪＰＥＧ圧縮された状態の画像データ）を保存するＳＤＲＡＭ１０３が配置され、このＳＤＲＡＭ１０３はプロセッサ１０４にメモリコントローラ（図示を略す）、バスラインを介して接続されている。
【００２６】
プロセッサ１０４の外部には、更に、ＲＡＭ１０７、内蔵メモリ（メモリカードスロットルにメモリカードが装着されていない場合でも撮影画像データを記憶するためのメモリ）１２０、制御プログラム、パラメータなどが格納されたＲＯＭ１０８が設けられ、これらもバスラインによってプロセッサ１０４に接続されている。
【００２７】
その制御プログラムは、カメラの電源スイッチＳＷ１３をオンすると、プロセッサ１０４のメインメモリ（図示を略す）にロードされ、プロセッサ１０４はその制御プログラムに従って各部の動作制御を行うと共に、制御データ、パラメータ等をＲＡＭ１０７等に一時的に保存させる。
【００２８】
鏡胴ユニット７は、ズームレンズ７１ａを有するズーム光学系７１、フォーカスレンズ７２ａを有するフォーカス光学系７２、絞り７３ａを有する絞りユニット７３、メカニカルシャッター７４ａを有するメカニカルシャッターユニット７４からなるレンズ鏡筒を備えている。
【００２９】
ズーム光学系７１、フォーカス光学系７２、絞りユニット７３、メカニカルシャッターユニット７４は、ズームモータ７１ｂ、フォーカスモータ７２ｂ、絞りモータ７３ｂ、メカニカルシャッターモータ７４ｂによってそれぞれ駆動されるようになっている。
【００３０】
これらの各モータはモータドライバ７５によって駆動され、このモータドライバ７５はプロセッサ１０４のＣＰＵブロック１０４３によって制御される。
【００３１】
鏡胴ユニット７の各レンズ系により撮像素子としてのＣＣＤ１０１に被写体像が結像され、ＣＣＤ１０１は被写体像を画像信号に変換してＦ／Ｅ−ＩＣ１０２に画像信号を出力する。Ｆ／Ｅ−ＩＣ１０２は画像ノイズ除去用のため相関二重サンプリングを行うＣＤＳ１０２１、利得調整用のＡＧＣ１０２２、アナログデジタル変換を行うＡ／Ｄ変換部１０２３から構成されている。すなわち、Ｆ／Ｅ−ＩＣ１０２はその画像信号に所定の処理を施し、アナログ画像信号をデジタル信号に変換してプロセッサ１０４のＣＣＤ１信号処理ブロック１０４１に向けてこのデジタル信号を出力する。
【００３２】
これらの信号制御処理は、プロセッサ１０４のＣＣＤ１信号処理ブロック１０４１から出力される垂直同期信号ＶＤ・水平同期信号ＨＤによりＴＧ１０２４を介して行われる。
【００３３】
そのＴＧ１０２４はその垂直同期信号ＶＤ・水平同期信号ＨＤに基づき駆動タイミング信号を生成する。
【００３４】
プロセッサ１０４のＣＰＵブロック１０４３は、音声記録回路１１５１による音声記録動作を制御するようになっている。音声記録回路１１５１はマイクロフォンで１１５３で変換された音声記録信号のマイクロフォンアンプリファイア１１５２による増幅信号を指令に応じて記録する。ＣＰＵブロック１０４３は、音声再生回路１１６１の動作も制御する。音声再生回路１１６１は、指令により適宜メモリに記憶されている音声信号を再生してオーディオアンプリファイア１１６２に出力し、スピーカ１１６３から音声を出力させるように構成されている。
【００３５】
ＣＰＵブロック１０４３は、更に、ストロボ回路１１４を制御することによってストロボ発光部３から照明光を発光させる。これに加えて、ＣＰＵブロック１０４３は、測距ユニット５も制御する。
【００３６】
ＣＰＵブロック１０４３は、プロセッサ１０４のサブＣＰＵ１０９に接続され、サブＣＰＵ１０９はＬＣＤドライバ１１１を介してサブＬＣＤ１による表示制御を行う。サブＣＰＵ１０９は、更に、ＡＦＬＥＤ８、ストロボＬＥＤ９、リモートコントロール受光部６、操作スイッチＳＷ１〜ＳＷ１４からなる操作キーユニット、ブザー１１３に接続されている。
【００３７】
ＵＳＢブロック１０４５はＵＳＢコネクタ１２２に接続され、シリアルブロック１０４６はシリアルドライバ回路１２３１を介してＲＳ−２３２Ｃコネクタ１２３２に接続されている。ＴＶ信号表示ブロック１０４９は、ＬＣＤドライバ１１７を介してＬＣＤモニタ１０に接続されると共に、ビデオアンプリファイア（ＴＶ信号表示ブロック１０４９から出力されたビデオ信号を７５Ωインピーダンスに変換するためのアンプリファイア）１１８を介してビデオジャック（カメラをＴＶなどの外部表示機器に接続するためのジャック）１１９に接続されている。メモリカードコントローラブロック１０４１０はメモリカードスロットル１２１のカード接点との接点に接続されている。
【００３８】
ＬＣＤドライバ１１７はＬＣＤモニタ１０を駆動すると共に、ＴＶ信号表示ブロック１０４９から出力されたビデオ信号をＬＣＤモニタ１０に表示させる信号に変換する役割を果たす。ＬＣＤモニタ１０は撮影前の被写体の状態監視、撮影画像の確認、およびメモリカード又は内蔵メモリ１２０に記録された画像データを表示するために用いられる。
【００３９】
デジタルカメラの本体には、鏡胴ユニット７の一部を構成する固定筒（図示を略す）が設けられている。この固定筒にはＣＣＤステージ１２５１がＸ−Ｙ方向（撮影光軸をZ方向としてこの方向と直交するXY平面内での移動方向）に移動可能に設けられている。
【００４０】
ＣＣＤ１０１は手ぶれ補正機構の一部を構成するＣＣＤステージ１２５１に搭載されている。そのＣＣＤステージ１２５１はアクチュエータ１２５５によって駆動され、アクチュエータ１２５５はドライバー１２５４によって駆動制御される。そのドライバー１２５４はコイルドライブＭＤ１とコイルドライブＭＤ２とから構成されている。そのドライバー１２５４はアナログデジタル変換器ＩＣ１に接続され、そのアナログデジタル変換器ＩＣ１はＲＯＭ１０８に接続され、このアナログデジタル変換器ＩＣ１にはＲＯＭ１０８から制御データが入力される。
【００４１】
固定筒には手ぶれ補正スイッチＳＷ１４がオフ、電源スイッチＳＷ１３がオフのときにＣＣＤステージ１２５１を中央位置に保持する原点位置強制保持機構１２６３が設けられている。この原点位置強制保持機構１２６３はアクチュエータとしてのステッピングモータＳＴＭ１により制御され、そのステッピングモータＳＴＭ１はドライバー１２６１によって駆動される。このドライバー１２６１にはＲＯＭ１０８から制御データが入力される。
【００４２】
ＣＣＤステージ１２５１には位置検出素子１２５２が取り付けられている。この位置検出素子１２５２の検出出力はアンプリファイア１２５３に入力され、増幅されてＡ／Ｄ変換器１０４１１に入力される。カメラ本体にはジャイロセンサ１２４１がＸ方向とＹ方向との回転を検出可能に設けられ、ジャイロセンサ１２４１の検出出力はローパスフィルタ兼用のアンプリファイア１２４２を介してＡ／Ｄ変換器１０４１１に入力される。
【００４３】
その固定筒、ＣＣＤステージ１２５１の詳細なメカニカルな構造、原点位置保持強制機構１２６３、CCDステージ１２５１の詳細構造、ジャイロセンサ１２４１は、本発明に直接的に関係するものではなく、本発明の理解の便宜のために説明したものであり、これらの一例については、例えば、特願２００５−２９４５１１号を参照されたい。
【００４４】
そのジャイロセンサ１２４１は手ぶれにより発生するカメラ本体の手ぶれ量を検出する検出センサとして機能し、プロセッサ１０４は手ぶれ検出センサにより検出された手ぶれ量に基づき被写体像の移動量を算出する算出手段として機能する。手ぶれ補正機構の算出手段の算出結果に基づきCCD１０１を被写体像の移動方向に追従させる。
【００４５】
ズーム光学系７１、フォーカス光学系７２、絞りユニット７３、メカニカルシャッターユニット７４は撮影光学系を構成し、そのCCD１０１は撮影光学系の撮影光軸に対して直交する平面と撮影光軸との交点である原点に中心位置が存在するようにして待機されかつ撮影光学系を通して得られた撮影光束を被写体像として受像する。
【００４６】
以下、従来の手ぶれ補正の原理について説明し、その後に本発明に係わる手ぶれ補正について説明する。
（従来の手ぶれ補正の原理）
図５はレリーズボタンSW１の押し下げ操作に基づくカメラ本体の手ぶれの方向を説明するための模式図であって、被写体Pとその撮影光学系を構成するレンズLとCCD１０１との関係を示す概念図であり、（a）はCCD１０１が撮影光学系の撮影光軸O１に対して直交する平面と撮影光軸O１との交点にCCD１０１の中心位置O３が存在するようにして待機されかつ撮影光学系を通して得られた撮影光束に基づく被写体画像を受像しているときの結像位置を示す図、（ｂ）はその撮影光学系の有効範囲とCCD１０１との関係を示す概念図であって、被写体Pと撮影光学系とCCD１０１とが（a）に示す関係にあるときに撮影光学系を通して得られた撮影光束に基づく被写体像P’を受像しているときの結像状態を示している。なお、符号FLはレンズLによる有効撮影範囲、符号O２は撮影光軸O１と中心位置O３とによって定義される原点である。
【００４７】
被写体PとレンズLとCCD１０１とが図５（a）に示す位置関係にあるときに、レリーズボタンSW１を押し下げると、図６に示すように、レリーズボタンSW１を押し下げ操作に基づく手ぶれに起因して、カメラ本体が下方に傾き、撮影光学系を通して得られた撮影光束が原点O２に待機するCCD１０１の中心位置O３からずれた位置に結像しようとする。
【００４８】
ジャイロセンサ１２４１はレリーズボタンSW１の押し下げ操作による手ぶれ量を検出し、プロセッサ１０４は、ジャイロセンサ１２４１により得られた手ぶれ量に基づき、被写体像の移動量を算出してその算出結果に基づき原点O２からCCD１０１を被写体像P’の移動方向に追従するようにCCD１０１を移動させる。
【００４９】
図７は撮影光学系の撮影光軸O１と追従後のCCD１０１との相対位置関係を示し、図８はレリーズボタンSW1の押し下げ操作のタイミングと手ぶれ補正開始時点Q０において撮影光軸O１を通る撮影光束が撮像面上に到達する点として定義される手ぶれ補正開始位置Q１との関係を示す説明図である。
【００５０】
従来の手ぶれ補正では、手ぶれ補正スイッチSW１４をオンし、レリーズボタンSW１の第１段目の押し下げ操作（RL1）により、手ぶれ検出が開始され、ついで、レリーズボタンSW１の第２段目の押し下げ操作（RL２）により、CCD１０１の中心位置O３から手ぶれ補正が開始され、所定時間経過後（レリーズタイムラグ）に露光が開始されて、例えば約８分の１秒（１／８sec）の露光時間経過後、カメラ本体の下方に傾きに伴う被写体像の移動に追従しつつかつ細かな高周波の手ぶれに伴う被写体像の移動に追従しつつ手ぶれ補正が行われる。
【００５１】
この従来の手ぶれ補正では、手ぶれ補正開始位置Q１は、CCD１０１を基準にして、CCD１０１の中心位置（撮影光軸O１の中心）O３に存在し、手ぶれ補正開始位置Q１からカメラ本体の下方に傾きに伴って、被写体像P’が下方（例えば、Q４方向）に移動する。
【００５２】
ここで、そのCCD１０１の中心位置O３を基準にしてその補正範囲Q２が画素個数に換算してプラス・マイナス５０画素であるとして、被写体像P’の最大ぶれ位置が図８に符号P’で示すように補正範囲Q２の下限Q３に位置することがある。
【００５３】
被写体像P’が補正範囲Q２の下限Q３に位置すると、撮影光軸O１（中心位置O３）から像が大きく外れるので、画質の劣化が起こる。
（本発明の手ぶれ補正の原理）
（本発明に係わる手ぶれ補正撮影の一例）
本発明に係わる手ぶれ補正では、図９、図１０に示すように、手ぶれ補正開始時点Q０において撮影光軸O１上を通る撮影光束がCCD１０１に到達する点として定義される手ぶれ補正開始位置Q１がレリーズボタンSW１の押し下げにより発生する被写体像P’の移動方向と逆方向の位置となるようにCCD１０１があらかじめセットされている。
【００５４】
通常のデジタルカメラでは、図５（a）に示すようにCCD１０１の中心O３は原点O２に保持されているが、ここでは、CCD１０１の中心O３は図５（a）示す原点O２からはじめからオフセットされている。
【００５５】
本発明に係わる手ぶれ補正では、図１０に示すように、手ぶれ補正スイッチSW１４をオンし、レリーズボタンSW１の第１段目の押し下げ操作（RL１）により、手ぶれ検出が開始され、ついで、レリーズボタンSW１の第２段目の押し下げ操作（RL２）により、CCD１０１の中心位置O３よりも上方から手ぶれ補正が開始され、所定時間経過後（レリーズタイムラグ）露光が開始されて、例えば約８分の１秒（１／８sec）の露光時間経過後、カメラ本体の下方に傾きに伴う被写体像P’の移動に追従しつつかつ細かな高周波の手ぶれ振動に伴う被写体像P’の移動に追従しつつ手ぶれ補正が行われる。
【００５６】
すなわち、このものでは、手ぶれ補正開始時点Q０において撮影光軸O１上を通る撮影光束がCCD１０１に到達する点として定義される手ぶれ補正開始位置Q１がレリーズボタンSW１の押し下げにより発生する被写体像P’の移動方向Q４と逆方向の位置とされ、手ぶれ補正開始位置Q１からカメラ本体の下方に傾きに伴って、被写体像P’がCCD１０１の中心位置O３に向かう方向に移動する。
【００５７】
このように、本発明に係わる手ぶれ補正によれば、レリーズボタンSW１の操作に伴う手ぶれ補正開始位置Q１が中心位置O３から像の移動方向と逆方向にあらかじめオフセットされているので、図１０に示すように、レリーズボタンSW１の押し下げにより発生する被写体像P’の移動方向最大ぶれ位置を下限Q３に対して底上げすることができ、被写体像P’が手ぶれ補正開始位置Q１からカメラ本体の下方に傾きに伴って、CCD１０１の中心位置O３に向かう方向に移動するので、CCD１０１の補正範囲Q２内に余裕をもって入ることになり、レリーズボタンSW１の操作に伴う手ぶれ補正に起因する画質の劣化を回避できる。
【００５８】
この場合に、CCD１０１の中心位置O３が、図１０に示すようにレリーズボタンSW１の押し下げ操作時に発生する手ぶれ量QWの中間位置となるように手ぶれ補正開始位置Q１を設定するのが望ましい。
【００５９】
この実施例では、手ぶれ補正開始時点Q０において撮影光軸O１上を通る撮影光束がCCD１０１に到達する点として定義される手ぶれ補正開始位置Q１をレリーズボタンSW１の押し下げにより発生する被写体像P’の移動方向と逆方向の位置となるようにCCD１０１をあらかじめセットする構成としたが、図５（a）に示すように、CCD１０１の中心位置O３を原点O２に待機させておき、手ぶれ補正開始時点Q０において手ぶれ補正開始位置Q１がレリーズボタンSW１の押し下げにより発生する被写体像P’の移動方向と逆方向の位置となるようにCCD１０１を設定する設定手段としての機能をプロセッサ１０４に設ける構成としても良い。
（手ぶれ補正撮影の一例を示すフローチャート）
図１１は手ぶれ補正による撮影の一例を説明するためのフローチャートであって、手ぶれ補正スイッチSW１４をオンにすると、デジタルカメラは手ぶれ補正モードとなり、プロセッサ１０４は、手ぶれ補正開始時点Q０において撮影光軸O１上を通る撮影光束がCCD１０１に到達する点として定義される手ぶれ補正開始位置Q１がレリーズボタンSW１の押し下げにより発生する被写体像P’の移動方向と逆方向の位置となるようにCCD１０１を原点O２から移動させて設定する（S.１）。
【００６０】
なお、このフローチャートでは、CCD１０１の中心位置O３を原点O２にあらかじめ待機させているものとして説明している。
【００６１】
ついで、プロセッサ１０４はLCDモニタ１０に被写体像が映し出されるようにLCDモニタ１０を制御する（S.2）。
【００６２】
次に、プロセッサ１０４はレリーズボタンSW１の第１段目の押し下げ操作があったか否か（RL１＝ON？）を判断する（S.3）。プロセッサ１０４は、S.３において、イエス（Y）の場合、レリーズボタンSW１の第２段目の押し下げ操作があったか否か（RL２＝ON？）を判断する（S．４）。
【００６３】
プロセッサ１０４は、S.４において、イエス（Y）の場合、手ぶれ補正及び露光を開始する（S.５）。そして、プロセッサ１０４は、所定の露光時間が経過したか否かを判断する（S.６）。この所定の露光時間中に、手ぶれ補正が実行され、CCD１０１は像の移動に追従される。
【００６４】
プロセッサ１０４は露光時間が経過すると（イエス（Y）の場合）、手ぶれ補正及び露光を終了させ（S.７）、通常のデジタルカメラの記録動作等に移行する。
（本発明に係わる手ぶれ補正撮影の他の例）
図１２はレリーズボタンSW１の第１段目の押し下げから第２段目の押し下げ操作の時間Tによって、手ぶれ補正開始位置Q１を制御する構成とした模式図を示している。
【００６５】
レリーズボタンSW１の第１段目の押し下げから第２段目の押し下げまでの時間Tが長い場合には、レリーズボタンSW１をゆっくり押していると想定され、従って、レリーズボタンSW１の押し下げ操作による手ぶれ量QWが小さいと考えられる。
【００６６】
反対に、レリーズボタンSW１の第１段目の押し下げから第２段目の押し下げまでの時間が短い場合には、レリーズボタンSW１を早く押していると想定され、従って、レリーズボタンSW１の押し下げ操作による手ぶれ量QWが大きいと考えられる。
【００６７】
ROM１０８には、レリーズボタンSW１の第１段目の押し下げから第２段目の押し下げまでの時間Tと手ぶれ量QWとの関係が予めテーブルとして記憶されている。プロセッサ１０４は、レリーズボタンSW１の第１段目の押し下げから第２段目の押し下げまでの時間Tを計測し、手ぶれ補正開始時点Q０における撮影光軸O１上を通る撮影光束がCCD１０１に到達する点として定義される手ぶれ補正開始位置Q１がレリーズボタンSW１の押し下げにより発生する被写体像の移動方向と逆方向の位置となるようにCCD１０１を原点位置O２から移動させて設定する。
（本発明に係わる手ぶれ補正撮影の他の例を示すフローチャート）
図１３は手ぶれ補正撮影の他の例を説明するためのフローチャートであって、手ぶれ補正スイッチSW１４をオンにすると、デジタルカメラは手ぶれ補正モードとなり、プロセッサ１０４はレリーズボタンSW１の第１段目の押し下げ操作があったか否か（RL１＝ON？）を判断する（S.１）。
【００６８】
ついで、プロセッサ１０４は、時間計測を開始する（S．２）。続いて、プロセッサ１０４は、レリーズボタンSW１の第２段目の押し下げ操作があったか否か（RL２＝ON？）を判断する（S.３）。S.３において、ノーの場合、S．２に戻り、レリーズボタンSW１の第２段目の押し下げ操作があるまで、S.２、S.３のステップを繰り返す。
【００６９】
これによって、レリーズボタンSW１の第１段目の押し下げから第２段目の押し下げまでの時間Tが計測される。
【００７０】
プロセッサ１０４は、S.３において、イエス（Y）の場合、時間Tの値に基づき手ぶれ量QWを検出し、プロセッサ１０４は、手ぶれ補正開始時点Q０における撮影光軸O１上を通る撮影光束がCCD１０１に到達する点として定義される手ぶれ補正開始位置Q１がレリーズボタンSW１の押し下げにより発生する被写体像P’の移動方向と逆方向の位置となるようにCCD１０１を原点O２から移動させて設定する（S.４）。
【００７１】
従って、CCD１０１の中心位置O３はレリーズボタンSW１の第２段目の押し下げがあるまで原点O２に保持され、手ぶれ補正機構はレリーズボタンSW１の第２段目の押し下げがあると、手ぶれ補正開始位置Q１がレリーズボタンSW１の押し下げにより発生する被写体像の移動方向と逆方向の位置となるようにCCD１０１を原点O２から移動させて設定する。
【００７２】
ついで、プロセッサ１０４は、手ぶれ補正及び露光を開始する（S.５）。そして、プロセッサ１０４は、所定の露光時間が経過したか否かを判断する（S.６）。この所定の露光時間中に、手ぶれ補正が実行され、CCD１０１は像の移動に追従される。そして、プロセッサ１０４は露光時間が経過すると、手ぶれ補正及び露光を終了させ（S.７）、通常のデジタルカメラの記録動作等に移行する。
【００７３】
以上、実施例について説明したが、本発明は、これに限るものではなく、プロセッサ１０４はレリーズボタンSW１の第２段目の押し下げから露光開始までの間に予備発光、赤目発光、セルフタイマー等の待ち時間があるときには、この待ち時間に基づき手ぶれ補正開始位置を制御するようにしても良い。
【００７４】
このように待ち時間によって手ぶれ補正開始時点Q０を設定すると、無用な手ぶれ補正開始位置Q１へのCCD１０１の移動を回避することができる。
【図面の簡単な説明】
【００７５】
【図１】本発明に係わる撮像装置としてのデジタルカメラの正面図である。
【図２】図１に示すデジタルカメラの背面図である。
【図３】図１に示すデジタルカメラの上面図である。
【図４】図１に示すデジタルカメラのシステム構成を示す概要図である。
【図５】従来の手ぶれ補正の原理を説明するための模式図であって、（a）はCCDが撮影光学系の撮影光軸に対して直交する平面と撮影光軸との交点である原点にCCDの中心位置が存在するように待機されかつ撮影光学系を通して得られた撮影光束に基づく被写体像を受像している状態を示す図であり、（ｂ）はその撮影光学系の有効撮影範囲とCCDとの関係を示す概念図であって被写体と撮影光学系とCCDとが（a）に示す位置関係にあるときに撮影光学系を通して得られた撮影光束に基づく被写体像の受像状態を示す図である。
【図６】レリーズボタンの操作によるカメラ本体の傾いた状態での被写体と撮影光学系とCCDとの位置関係を示す模式図である。
【図７】被写体と撮影光学系と被写体像への追従後のCCDとの相対位置関係を示す図である。
【図８】従来の手ぶれ補正の説明図であって、レリーズボタンの押し下げ操作のタイミングと手ぶれ補正開始時点において撮影光軸を通る撮影光束が撮像面上に到達する点として定義される手ぶれ補正開始位置との関係を示す説明図である。
【図９】本発明の手ぶれ補正の原理を説明するための模式図であって、CCDの中心位置が原点からオフセットした位置にあらかじめ待機されかつ撮影光学系を通して得られた撮影光束に基づく被写体像を受像している状態を示す図である。
【図１０】本発明の手ぶれ補正の一例の説明図であって、レリーズボタンの押し下げ操作のタイミングと手ぶれ補正開始時点において撮影光軸を通る撮影光束が撮像面上に到達する点として定義される手ぶれ補正開始位置との関係を示す説明図である。
【図１１】本発明の手ぶれ補正による撮影の一例を示すフローチャートである。
【図１２】本発明の手ぶれ補正の他の例の説明図であって、レリーズボタンの押し下げ操作のタイミングと手ぶれ補正開始時点において撮影光軸を通る撮影光束が撮像面上に到達する点として定義される手ぶれ補正開始位置との関係を示す説明図である。
【図１３】本発明の手ぶれ補正による撮影の他の例を示すフローチャートである。
【符号の説明】
【００７６】
１０１…CCD（撮像素子）
P’…被写体像
Q１…手ぶれ補正開始位置
Q４…移動方向
【図１】
2008017077.tif 000003
【図２】
2008017077.tif 000004
【図３】
2008017077.tif 000005
【図４】
2008017077.tif 000006
【図５】
2008017077.tif 000007
【図６】
2008017077.tif 000008
【図７】
2008017077.tif 000009
【図８】
2008017077.tif 000010
【図９】
2008017077.tif 000011
【図１０】
2008017077.tif 000012
【図１１】
2008017077.tif 000013
【図１２】
2008017077.tif 000014
【図１３】
2008017077.tif 000015